(57)【要約】【課題】簡易な構造で、エアフローの調整を行うことを目的とする。【解決手段】接離機構ＴＳは、４つの現像カートリッジ１１０，２１０，３１０，４１０の状態を、直動カム５００が第１位置の場合に、４つの現像ローラ１１１，２１１，３１１，４１１を感光体１２０，２２０，３２０，４２０に接触させる第１状態と、直動カムが第２位置の場合に、第１現像ローラ、第２現像ローラおよび第３現像ローラを感光体から離れさせ、第４現像ローラを第４感光体に接触させる第２状態と、直動カムが第３位置の場合に、４つの現像ローラを感光体から離れさせる第３状態とに切り替え可能である。第１カバーＣ１は、直動カムの動作に従って、第１開口Ｈ１を閉じる第１閉位置と、第１開口を開放する第１開位置とに移動可能である。第２カバーＣ２は、直動カムの動作に従って、第２開口Ｈ２を閉じる第２閉位置と、第２開口を開放する第２開位置とに移動可能である。【選択図】図４
2019028147.tif 000002
【特許請求の範囲】
【請求項１】
画像形成装置に装着可能なドロアであって、
第１サイドフレームと、
前記第１サイドフレームと第１方向に向かい合う第２サイドフレームと、
前記第１サイドフレームと前記第２サイドフレームの間に位置する第１感光体と、
前記第１サイドフレームと前記第２サイドフレームの間に位置し、前記第１感光体を帯電する第１帯電器と、
前記第１サイドフレームと前記第２サイドフレームの間に位置する第２感光体と、
前記第１サイドフレームと前記第２サイドフレームの間に位置し、前記第２感光体を帯電する第２帯電器と、
前記第１サイドフレームと前記第２サイドフレームの間に位置する第３感光体と、
前記第１サイドフレームと前記第２サイドフレームの間に位置し、前記第３感光体を帯電する第３帯電器と、
前記第１サイドフレームと前記第２サイドフレームの間に位置する第４感光体と、
前記第１サイドフレームと前記第２サイドフレームの間に位置し、前記第４感光体を帯電する第４帯電器と、
を備え、
前記第２サイドフレームが、前記第１帯電器に空気を流すための第１開口と、前記第２帯電器に空気を流すための第２開口と、前記第３帯電器に空気を流すための第３開口と、前記第４帯電器に空気を流すための第４開口とを有するドロアと、
前記ドロアに装着可能な第１現像カートリッジであって、前記第１感光体に接触する第１現像ローラを備えた第１現像カートリッジと、
前記ドロアに装着可能な第２現像カートリッジであって、前記第２感光体に接触する第２現像ローラを備えた第２現像カートリッジと、
前記ドロアに装着可能な第３現像カートリッジであって、前記第３感光体に接触する第３現像ローラを備えた第３現像カートリッジと、
前記ドロアに装着可能な第４現像カートリッジであって、前記第４感光体に接触する第４現像ローラを備えた第４現像カートリッジと、
を備え、前記第１現像カートリッジ、前記第２現像カートリッジ、前記第３現像カートリッジおよび前記第４現像カートリッジが第２方向においてこの順で並ぶ画像形成装置であって、
前記第１開口、前記第２開口、前記第３開口、および、前記第４開口を介して前記第１帯電器、前記第２帯電器、前記第３帯電器、および、前記第４帯電器のそれぞれに空気を流すファンと、
前記ドロアに対して、第１位置、第２位置、および、第３位置の間で移動可能な直動カムと、
前記４つの現像カートリッジの状態を、前記直動カムが前記第１位置の場合に、前記４つの現像ローラをそれぞれ対応する感光体に接触させる第１状態と、前記直動カムが前記第２位置の場合に、前記第１現像ローラ、前記第２現像ローラおよび前記第３現像ローラをそれぞれ対応する感光体から離れさせ、前記第４現像ローラを前記第４感光体に接触させる第２状態と、前記直動カムが前記第３位置の場合に、前記４つの現像ローラをそれぞれ対応する感光体から離れさせる第３状態とに切り替え可能な接離機構と、
前記直動カムの動作に従って、前記第１開口を閉じる第１閉位置と、前記第１開口を開放する第１開位置とに移動可能な第１カバーと、
前記直動カムの動作に従って、前記第２開口を閉じる第２閉位置と、前記第２開口を開放する第２開位置とに移動可能な第２カバーと、を備えたことを特徴とする画像形成装置。
【請求項２】
前記第４現像カートリッジは、ブラックのトナーを収容し、前記第２方向において、前記第３開口と前記第４開口との間に位置し、
前記直動カムが前記第２位置に位置するときに、前記第１開口および前記第２開口が前記第１カバーおよび前記第２カバーで閉じられ、前記第３開口および前記第４開口が開放していることを特徴とする請求項１に記載の画像形成装置。
【請求項３】
前記接離機構は、
前記第１現像カートリッジを前記第１感光体に向けて押圧する回動可能な第１押圧部材と、
前記直動カムとの接触により回動し、前記第１押圧部材の押圧力に抗して前記第１現像カートリッジを前記第１感光体から離れる方向に押圧する第１離間部材と、
前記第２現像カートリッジを前記第２感光体に向けて押圧する回動可能な第２押圧部材と、
前記直動カムとの接触により回動し、前記第２押圧部材の押圧力に抗して前記第２現像カートリッジを前記第２感光体から離れる方向に押圧する第２離間部材と、
前記第３現像カートリッジを前記第３感光体に向けて押圧する回動可能な第３押圧部材と、
前記直動カムとの接触により回動し、前記第３押圧部材の押圧力に抗して前記第３現像カートリッジを前記第３感光体から離れる方向に押圧する第３離間部材と、
前記第４現像カートリッジを前記第４感光体に向けて押圧する回動可能な第４押圧部材と、
前記直動カムとの接触により回動し、前記第４押圧部材の押圧力に抗して前記第４現像カートリッジを前記第４感光体から離れる方向に押圧する第４離間部材と、を備えたことを特徴とする請求項１または請求項２に記載の画像形成装置。
【請求項４】
前記第２押圧部材は、前記第１カバーを有し、
前記第３押圧部材は、前記第２カバーを有することを特徴とする請求項３に記載の画像形成装置。
【請求項５】
前記第２離間部材は、前記第１カバーを有し、
前記第３離間部材は、前記第２カバーを有することを特徴とする請求項３に記載の画像形成装置。
【請求項６】
前記直動カムは、前記第１カバーおよび前記第２カバーを有することを特徴とする請求項１から請求項３のいずれか１項に記載の画像形成装置。
【請求項７】
前記第２現像カートリッジは、前記第１カバーを有し、
前記第３現像カートリッジは、前記第２カバーを有することを特徴とする請求項１から請求項３のいずれか１項に記載の画像形成装置。
【請求項８】
前記直動カムの動作に従って、前記第３開口を閉じる第３閉位置と、前記第３開口を開放する第３開位置とに移動可能な第３カバーを備えたことを特徴とする請求項１から請求項７のいずれか１項に記載の画像形成装置。
【請求項９】
前記第４感光体に対して前記第３感光体とは反対側に位置する定着器を備え、
前記直動カムが前記第３位置に位置するときに、前記第１開口、前記第２開口および前記第３開口が前記第１カバー、前記第２カバーおよび前記第３カバーで閉じられ、前記第４開口が開放していることを特徴とする請求項８に記載の画像形成装置。
【請求項１０】
前記第２方向は、前記第１方向に直交する方向であることを特徴とする請求項１から請求項９のいずれか１項に記載の画像形成装置。
【発明の詳細な説明】
【技術分野】
【０００１】
本発明は、現像ローラを感光体に接触または離間させる接離機構を備えた画像形成装置に関する。
【背景技術】
【０００２】
従来、４つの感光体と、４つのプロセスカートリッジと、送風ダクトと、接離機構とを備えた画像形成装置が知られている（特許文献１参照）。プロセスカートリッジは、現像ローラを備えている。送風ダクトは、４つの開口部を有している。各開口部は、各プロセスカートリッジに向けて空気を送るための開口部である。
【０００３】
接離機構は、第１直動カムと第２直動カムとを備えている。第１直動カムは、ブラック用のプロセスカートリッジを押圧する。これにより、ブラック用のプロセスカートリッジが回動する。ブラック用のプロセスカートリッジが第１直動カムによって押圧されていない状態において、ブラック用の現像ローラは、対応する感光体に接触する。ブラック用のプロセスカートリッジが第１直動カムによって押圧された状態において、ブラック用の現像ローラは、対応する感光体から離間する。
【０００４】
第２直動カムは、シアン、マゼンタ、イエローに対応した３つのプロセスカートリッジを押圧する。これにより、３つのプロセスカートリッジが回動する。３つのプロセスカートリッジが第２直動カムによって押圧されていない状態において、３つの現像ローラは、対応する感光体に接触する。３つのプロセスカートリッジが第２直動カムによって押圧された状態において、３つの現像ローラは、対応する感光体から離間する。
【０００５】
また、プロセスカートリッジは、開口部を塞ぐカバーを有する。カバーは、現像ローラが感光体に接触した状態で、開口部から外れている。カバーは、現像ローラが感光体から離間した状態で、開口部を塞ぐ。これにより、各現像ローラが対応する感光体に接触しているカラーモードの場合には、各開口部は開放されている。また、ブラック以外の３つの現像ローラが感光体から離間しているモノクロモードの場合には、ブラック用の開口部のみが開放され、その他の開口部はカバーによって塞がれている。
【先行技術文献】
【特許文献】
【０００６】
【特許文献１】特開２０１４−１２３１１０号公報
【発明の概要】
【発明が解決しようとする課題】
【０００７】
しかしながら、従来技術では、開口部の開閉状態の切替、つまりエアフローの調整を２つの直動カムを用いて行うため、コストが高くなるといった問題があった。
【０００８】
そこで、本発明は、簡易な構造で、エアフローの調整を行うことを目的とする。
【課題を解決するための手段】
【０００９】
前記課題を解決するため、本発明に係る画像形成装置は、ドロアと、第１現像カートリッジと、第２現像カートリッジと、第３現像カートリッジと、第４現像カートリッジと、ファンと、直動カムと、接離機構と、第１カバーと、第２カバーとを備える。
ドロアは、画像形成装置に装着可能である。
ドロアは、第１サイドフレームと、第２サイドフレームと、第１感光体と、第１帯電器と、第２感光体と、第２帯電器と、第３感光体と、第３帯電器と、第４感光体と、第４帯電器とを備える。
第２サイドフレームは、前記第１サイドフレームと第１方向に向かい合う。
各感光体および各帯電器は、前記第１サイドフレームと前記第２サイドフレームの間に位置する。
各帯電器は、対応する感光体を帯電する。
前記第２サイドフレームは、前記第１帯電器に空気を流すための第１開口と、前記第２帯電器に空気を流すための第２開口と、前記第３帯電器に空気を流すための第３開口と、前記第４帯電器に空気を流すための第４開口とを有する。
各現像カートリッジは、前記ドロアに装着可能である。
第１現像カートリッジは、前記第１感光体に接触する第１現像ローラを備える。
第２現像カートリッジは、前記第２感光体に接触する第２現像ローラを備える。
第３現像カートリッジは、前記第３感光体に接触する第３現像ローラを備える。
第４現像カートリッジは、前記第４感光体に接触する第４現像ローラを備える。
前記第１現像カートリッジ、前記第２現像カートリッジ、前記第３現像カートリッジおよび前記第４現像カートリッジは、第２方向においてこの順で並ぶ。
ファンは、前記第１開口、前記第２開口、前記第３開口、および、前記第４開口を介して前記第１帯電器、前記第２帯電器、前記第３帯電器、および、前記第４帯電器のそれぞれに空気を流す。
直動カムは、前記ドロアに対して、第１位置、第２位置、および、第３位置の間で移動可能である。
接離機構は、前記４つの現像カートリッジの状態を、前記直動カムが前記第１位置の場合に、前記４つの現像ローラをそれぞれ対応する感光体に接触させる第１状態と、前記直動カムが前記第２位置の場合に、前記第１現像ローラ、前記第２現像ローラおよび前記第３現像ローラをそれぞれ対応する感光体から離れさせ、前記第４現像ローラを前記第４感光体に接触させる第２状態と、前記直動カムが前記第３位置の場合に、前記４つの現像ローラをそれぞれ対応する感光体から離れさせる第３状態とに切り替え可能である。
第１カバーは、前記直動カムの動作に従って、前記第１開口を閉じる第１閉位置と、前記第１開口を開放する第１開位置とに移動可能である。
第２カバーは、前記直動カムの動作に従って、前記第２開口を閉じる第２閉位置と、前記第２開口を開放する第２開位置とに移動可能である。
【００１０】
ここで、「開口を閉じる」とは、カバーで開口を完全に閉じることを意味するだけでない。「開口を閉じる」とは、開口が開放された部分の面積が、開口を開放しているときよりも小さくしていることも含む。言い換えると、閉位置においては、開口の少なくとも一部がカバーで閉じられていればよい。また、開位置においては、閉位置のときよりもカバーと開口のラップ量が小さくなっていればよい。
【００１１】
この構成によれば、開口を開閉するためのカバーを、１つの直動カムの動作に従って移動させるので、簡易な構造で、エアフローの調整を行うことができる。
【００１２】
また、前記第４現像カートリッジは、ブラックのトナーを収容し、前記第２方向において、前記第３開口と前記第４開口との間に位置し、前記直動カムが前記第２位置に位置するときに、前記第１開口および前記第２開口が前記第１カバーおよび前記第２カバーで閉じられ、前記第３開口および前記第４開口が開放していてもよい。
【００１３】
これによれば、第２状態のときに、第４現像カートリッジの両側にエアフローが生じるので、第４現像カートリッジを効率よく冷却することができる。
【００１４】
また、前記接離機構は、前記第１現像カートリッジを前記第１感光体に向けて押圧する回動可能な第１押圧部材と、前記直動カムとの接触により回動し、前記第１押圧部材の押圧力に抗して前記第１現像カートリッジを前記第１感光体から離れる方向に押圧する第１離間部材と、前記第２現像カートリッジを前記第２感光体に向けて押圧する回動可能な第２押圧部材と、前記直動カムとの接触により回動し、前記第２押圧部材の押圧力に抗して前記第２現像カートリッジを前記第２感光体から離れる方向に押圧する第２離間部材と、前記第３現像カートリッジを前記第３感光体に向けて押圧する回動可能な第３押圧部材と、前記直動カムとの接触により回動し、前記第３押圧部材の押圧力に抗して前記第３現像カートリッジを前記第３感光体から離れる方向に押圧する第３離間部材と、前記第４現像カートリッジを前記第４感光体に向けて押圧する回動可能な第４押圧部材と、前記直動カムとの接触により回動し、前記第４押圧部材の押圧力に抗して前記第４現像カートリッジを前記第４感光体から離れる方向に押圧する第４離間部材と、を備えていてもよい。
【００１５】
また、前記第２押圧部材は、前記第１カバーを有し、前記第３押圧部材は、前記第２カバーを有していてもよい。
【００１６】
また、前記第２離間部材は、前記第１カバーを有し、前記第３離間部材は、前記第２カバーを有していてもよい。
【００１７】
また、前記直動カムは、前記第１カバーおよび前記第２カバーを有していてもよい。
【００１８】
また、前記第２現像カートリッジは、前記第１カバーを有し、前記第３現像カートリッジは、前記第２カバーを有していてもよい。
【００１９】
また、前記画像形成装置は、前記直動カムの動作に従って、前記第３開口を閉じる第３閉位置と、前記第３開口を開放する第３開位置とに移動可能な第３カバーを備えていてもよい。
【００２０】
また、前記画像形成装置は、前記第４感光体に対して前記第３感光体とは反対側に位置する定着器を備え、前記直動カムが前記第３位置に位置するときに、前記第１開口、前記第２開口および前記第３開口が前記第１カバー、前記第２カバーおよび前記第３カバーで閉じられ、前記第４開口が開放していてもよい。
【００２１】
これによれば、第３状態のときに、定着器側に配置された第４現像カートリッジに対応した第４開口に空気が集中して流れるので、第３状態において第４現像カートリッジのうち定着器側の部分を効率よく冷却することができる。
【００２２】
また、前記第２方向は、前記第１方向に直交する方向であってもよい。
【発明の効果】
【００２３】
本発明によれば、簡易な構造で、エアフローの調整を行うことができる。
【図面の簡単な説明】
【００２４】
【図１】本発明の実施形態に係るカラープリンタを簡略的に示す断面図である。
【図２】ドロアを第３方向における排紙トレイ側から見た平面図である。
【図３】図２のＩ−Ｉ断面図である。
【図４】図２のＩＩ−ＩＩ断面図であって、カラーモードの状態を示す図である。
【図５】モノクロモードの状態を示す断面図である。
【図６】クリーニングモードの状態を示す断面図である。
【図７】直動カムを示す側面図（ａ）と、接離機構を示す図（ｂ）である。
【図８】本発明の第１変形例を示す断面図（ａ）〜（ｃ）である。
【図９】本発明の第２変形例を示す側面図（ａ），（ｂ）である。
【図１０】本発明の第３変形例を示す側面図（ａ），（ｂ）である。
【図１１】本発明の第４変形例を示す断面図（ａ）〜（ｃ）である。
【発明を実施するための形態】
【００２５】
次に、本発明の実施形態について、適宜図面を参照しながら詳細に説明する。なお、以下の説明においては、まず、画像形成装置の一例としてのカラープリンタ１の全体構成を説明した後、本発明の特徴部分の詳細を説明することとする。また、図面については、便宜上、適宜簡略化または省略する。
【００２６】
以下の説明において、後述する第１サイドフレーム６１と第２サイドフレーム６２とが向かい合う方向を、第１方向とする。また、後述する第１現像カートリッジ１１０、第２現像カートリッジ２１０、第３現像カートリッジ３１０および第４現像カートリッジ４１０の並び方向を、第２方向とする。なお、好ましくは、第２方向は、第１方向と交差する。より好ましくは、第２方向は、第１方向と直交する。また、給紙トレイ２１と排紙トレイ９２とが向かい合う方向を、第３方向とする。好ましくは、第３方向は、第１方向と第２方向と交差する。より好ましくは、第３方向は、第１方向と第２方向と直交する。
【００２７】
図１に示すように、カラープリンタ１は、筐体１０と、給紙部２０と、画像形成部３０と、排紙部９０と、ファンＦとを備えている。
【００２８】
筐体１０は、装着口１０Ａと、フロントカバー１１とを有している。フロントカバー１１の第３方向における給紙トレイ２１側の端部は、筐体１０に対して回動可能である。フロントカバー１１は、回動することにより、装着口１０Ａを開閉する。
【００２９】
給紙部２０は、給紙トレイ２１と、用紙搬送機構２２とを備えている。給紙トレイ２１は、用紙Ｐを収容する。用紙搬送機構２２は、給紙トレイ２１内の用紙Ｐを画像形成部３０へ搬送する。
【００３０】
画像形成部３０は、スキャナユニット４０と、プロセスユニットＵと、転写ユニット７０と、定着器８０とを備えている。
【００３１】
スキャナユニット４０は、筐体１０内に位置し、第３方向において後述の排紙トレイ９２よりも給紙トレイ２１に近い位置である。スキャナユニット４０は、図示しないレーザ発光部、ポリゴンミラー、レンズおよび反射鏡などを備えている。そして、スキャナユニット４０は、レーザビームを各感光体１２０，２２０，３２０，４２０の表面上に高速走査にて照射する。
【００３２】
プロセスユニットＵは、筐体１０内に位置する。プロセスユニットＵは、第１現像カートリッジ１１０と、第２現像カートリッジ２１０と、第３現像カートリッジ３１０と、第４現像カートリッジ４１０と、ドロア６０とを備えている。各現像カートリッジ１１０，２１０，３１０，４１０は、ドロア６０に装着可能となっている。
【００３３】
ドロア６０は、装着口１０Ａを通して、筐体１０に装着可能となっている。ドロア６０は、第１感光体１２０と、第１帯電器１３０と、第２感光体２２０と、第２帯電器２３０と、第３感光体３２０と、第３帯電器３３０と、第４感光体４２０と、第４帯電器４３０と、を備えている。各感光体１２０，２２０，３２０，４２０は、円筒状の感光体ドラムである。
【００３４】
第１帯電器１３０は、第１感光体１２０を帯電する。第２帯電器２３０は、第２感光体２２０を帯電する。第３帯電器３３０は、第３感光体３２０を帯電する。第４帯電器４３０は、第４感光体４２０を帯電する。帯電された感光体１２０，２２０，３２０，４２０の表面がスキャナユニット４０で露光されることで、感光体１２０，２２０，３２０，４２０の表面に静電潜像が形成される。
【００３５】
第１現像カートリッジ１１０は、イエローのトナーを収容する。第１現像カートリッジ１１０は、第１現像ローラ１１１を備える。第１現像ローラ１１１は、第１感光体１２０に接触する。第１現像ローラ１１１は、第１感光体１２０の静電潜像にトナーを供給することで、第１感光体１２０上にトナー像を形成する。
【００３６】
第２現像カートリッジ２１０は、マゼンタのトナーを収容する。第２現像カートリッジ２１０は、第２現像ローラ２１１を備える。第２現像ローラ２１１は、第２感光体２２０に接触する。第２現像ローラ２１１は、第２感光体２２０の静電潜像にトナーを供給することで、第２感光体２２０上にトナー像を形成する。
【００３７】
第３現像カートリッジ３１０は、シアンのトナーを収容する。第３現像カートリッジ３１０は、第３現像ローラ３１１を備える。第３現像ローラ３１１は、第３感光体３２０に接触する。第３現像ローラ３１１は、第３感光体３２０の静電潜像にトナーを供給することで、第３感光体３２０上にトナー像を形成する。
【００３８】
第４現像カートリッジ４１０は、ブラックのトナーを収容する。第４現像カートリッジ４１０は、第４現像ローラ４１１を備える。第４現像ローラ４１１は、第４感光体４２０に接触する。第４現像ローラ４１１は、第４感光体４２０の静電潜像にトナーを供給することで、第４感光体４２０上にトナー像を形成する。
【００３９】
第１現像カートリッジ１１０、第２現像カートリッジ２１０、第３現像カートリッジ３１０および第４現像カートリッジ４１０は、第２方向においてこの順で並んでいる。
【００４０】
ドロア６０は、第１クリーニングローラＣＲ１と、第２クリーニングローラＣＲ２と、第３クリーニングローラＣＲ３と、第４クリーニングローラＣＲ４とを備えている。各クリーニングローラＣＲ１〜ＣＲ４は、対応する感光体１２０，２２０，３２０，４２０上のトナーを回収する。
【００４１】
転写ユニット７０は、給紙部２０と各感光体１２０，２２０，３２０，４２０との間に位置する。転写ユニット７０は、駆動ローラ７１と、従動ローラ７２と、搬送ベルト７３と、４つの転写ローラ７４と、回収ボックスＢとを備えている。
【００４２】
駆動ローラ７１および従動ローラ７２は、第２方向に離間している。搬送ベルト７３は、駆動ローラ７１と従動ローラ７２とともに回転する。各転写ローラ７４は、対応する感光体１２０，２２０，３２０，４２０との間で搬送ベルト７３を挟んでいる。各転写ローラ７４は、対応する感光体１２０，２２０，３２０，４２０上のトナー像を用紙Ｐに転写させる。
【００４３】
回収ボックスＢは、第３方向において、搬送ベルト７３と給紙トレイ２１との間に位置する。回収ボックスＢは、後述するクリーニングモードにおいて、搬送ベルト７３上のトナーを回収する。詳しくは、クリーニングモードでは、各クリーニングローラＣＲ１〜ＣＲ４で保持しているトナーが、対応する感光体１２０，２２０，３２０，４２０に移動する。その後、各感光体１２０，２２０，３２０，４２０上のトナーが、搬送ベルト７３に移動する。そして、搬送ベルト７３上のトナーが、回収ボックスＢで回収される。
【００４４】
定着器８０は、第２方向において、転写ユニット７０に対してフロントカバー１１とは反対側に位置する。言い換えると、定着器８０は、第４感光体４２０に対して第３感光体３２０とは反対側に位置する。定着器８０は、加熱ローラ８１と、加圧ローラ８２とを備えている。定着器８０は、加熱ローラ８１と加圧ローラ８２との間で用紙Ｐを挟むことで、用紙Ｐ上にトナー像を熱定着させる。
【００４５】
排紙部９０は、複数の搬送ローラ９１と、排紙トレイ９２とを備えている。また、排紙トレイ９２は、給紙トレイ２１と第３方向において向かい合う。各搬送ローラ９１は、定着器８０から排出された用紙Ｐを、筐体１０の外側、つまり、排紙トレイ９２に排出する。
【００４６】
ファンＦは、筐体１０の外部の空気を筐体１０内に取り込むためのファンである。ファンＦは、図示せぬダクトを介して、各帯電器１３０，２３０，３３０，４３０に向けて空気を送り出す。
【００４７】
図２に示すように、ドロア６０は、第１サイドフレーム６１と、第２サイドフレーム６２と、フロントフレーム６３と、リアフレーム６４とを備えている。第２サイドフレーム６２は、第１サイドフレーム６１と第１方向で向かい合っている。
【００４８】
フロントフレーム６３は、第１サイドフレーム６１および第２サイドフレーム６２の第２方向における一端部同士を連結する。フロントフレーム６３は、取手部６３Ａを有する。取手部６３Ａは、ユーザによって把持される。
【００４９】
リアフレーム６４は、第１サイドフレーム６１および第２サイドフレーム６２の第２方向における他端部同士を連結する。
【００５０】
図３に示すように、各感光体１２０，２２０，３２０，４２０は、第１サイドフレーム６１（図２参照）と第２サイドフレーム６２との間に位置する。各帯電器１３０，２３０，３３０，４３０も、第１サイドフレーム６１（図２参照）と第２サイドフレーム６２との間に位置する。
【００５１】
第２サイドフレーム６２は、第１開口Ｈ１と、第２開口Ｈ２と、第３開口Ｈ３と、第４開口Ｈ４とを有する。第１開口Ｈ１は、第１帯電器１３０に空気を流すための孔である。第２開口Ｈ２は、第２帯電器２３０に空気を流すための孔である。第３開口Ｈ３は、第３帯電器３３０に空気を流すための孔である。第４開口Ｈ４は、第４帯電器４３０に空気を流すための孔である。各開口Ｈ１〜Ｈ４は、前述したファンＦ（図１参照）からダクトを通って送り出されてくる空気を、第２サイドフレーム６２の外側から内側に向けて通している。言い換えると、ファンＦは、第１開口Ｈ１、第２開口Ｈ２、第３開口Ｈ３、および、第４開口Ｈ４を介して、第１帯電器１３０、第２帯電器２３０、第３帯電器３３０、および、第４帯電器４３０のそれぞれに空気を流す。
【００５２】
第１現像カートリッジ１１０は、第２方向において、第１開口Ｈ１を挟んで第２現像カートリッジ２１０とは反対側に位置する。第２現像カートリッジ２１０は、第２方向において、第１開口Ｈ１と第２開口Ｈ２との間に位置する。第３現像カートリッジ３１０は、第２方向において、第２開口Ｈ２と第３開口Ｈ３との間に位置する。第４現像カートリッジ４１０は、第２方向において、第３開口Ｈ３と第４開口Ｈ４との間に位置する。
【００５３】
ドロア６０は、第１支持フレームＦ１１と、第１壁Ｆ１２と、第２支持フレームＦ２１と、第２壁Ｆ２２と、第３支持フレームＦ３１と、第３壁Ｆ３２と、第４支持フレームＦ４１と、第４壁Ｆ４２とを備えている。
【００５４】
第１支持フレームＦ１１は、第１帯電器１３０を支持する。第１支持フレームＦ１１は、第２方向に直交する断面において断面視Ｕ字形状となっている。第１支持フレームＦ１１は、第１サイドフレーム６１（図２参照）と第２サイドフレーム６２とを連結する。第１支持フレームＦ１１の第１感光体１２０とは反対側の壁は、第１スリットＳＬ１を有する。第１スリットＳＬ１は、第１方向に長い。第１開口Ｈ１からドロア６０内に流入した空気は、第１スリットＳＬ１を通って、第１帯電器１３０内に流入する。
【００５５】
第１壁Ｆ１２は、第１開口Ｈ１と第１現像カートリッジ１１０の間に位置する。第１壁Ｆ１２は、第１開口Ｈ１の第１現像カートリッジ１１０側の縁に沿って形成されている。第１壁Ｆ１２は、第１支持フレームＦ１１から延出している。第１開口Ｈ１からドロア６０内に流入した空気は、第１壁Ｆ１２によって、第１帯電器１３０から離れる方向に流れることが規制されている。
【００５６】
第２支持フレームＦ２１は、第２帯電器２３０を支持する。第２支持フレームＦ２１は、第２方向に直交する断面において断面視Ｕ字形状となっている。第２支持フレームＦ２１は、第１サイドフレーム６１（図２参照）と第２サイドフレーム６２とを連結する。第２支持フレームＦ２１の第２感光体２２０とは反対側の壁は、第２スリットＳＬ２を有する。第２スリットＳＬ２は、第１方向に長い。第２開口Ｈ２からドロア６０内に流入した空気は、第２スリットＳＬ２を通って、第２帯電器２３０内に流入する。
【００５７】
第２壁Ｆ２２は、第２開口Ｈ２と第２現像カートリッジ２１０の間に位置する。第２壁Ｆ２２は、第２開口Ｈ２の第２現像カートリッジ２１０側の縁に沿って形成されている。第２壁Ｆ２２は、第２支持フレームＦ２１から延出している。第２開口Ｈ２からドロア６０内に流入した空気は、第２壁Ｆ２２によって、第２帯電器２３０から離れる方向に流れることが規制されている。
【００５８】
第３支持フレームＦ３１は、第３帯電器３３０を支持する。第３支持フレームＦ３１は、第２方向に直交する断面において断面視Ｕ字形状となっている。第３支持フレームＦ３１は、第１サイドフレーム６１（図２参照）と第２サイドフレーム６２とを連結する。第３支持フレームＦ３１の第３感光体３２０とは反対側の壁は、第３スリットＳＬ３を有する。第３スリットＳＬ３は、第１方向に長い。第３開口Ｈ３からドロア６０内に流入した空気は、第３スリットＳＬ３を通って、第３帯電器３３０内に流入する。
【００５９】
第３壁Ｆ３２は、第３開口Ｈ３と第３現像カートリッジ３１０の間に位置する。第３壁Ｆ３２は、第３開口Ｈ３の第３現像カートリッジ３１０側の縁に沿って形成されている。第３壁Ｆ３２は、第３支持フレームＦ３１から延出している。第３開口Ｈ３からドロア６０内に流入した空気は、第３壁Ｆ３２によって、第３帯電器３３０から離れる方向に流れることが規制されている。
【００６０】
第４支持フレームＦ４１は、第４帯電器４３０を支持する。第４支持フレームＦ４１は、第２方向に直交する断面において断面視Ｕ字形状となっている。第４支持フレームＦ４１は、第１サイドフレーム６１（図２参照）と第２サイドフレーム６２とを連結する。第４支持フレームＦ４１の第４感光体４２０とは反対側の壁は、第４スリットＳＬ４を有する。第４スリットＳＬ４は、第１方向に長い。第４開口Ｈ４からドロア６０内に流入した空気は、第４スリットＳＬ４を通って、第４帯電器４３０内に流入する。
【００６１】
第４壁Ｆ４２は、第４開口Ｈ４と第４現像カートリッジ４１０の間に位置する。第４壁Ｆ４２は、第４開口Ｈ４の第４現像カートリッジ４１０側の縁に沿って形成されている。第４壁Ｆ４２は、第４支持フレームＦ４１から延出している。第４開口Ｈ４からドロア６０内に流入した空気は、第４壁Ｆ４２によって、第４帯電器４３０から離れる方向に流れることが規制されている。
【００６２】
第１現像カートリッジ１１０は、２つの第１突起１１２（１つのみ図示）を有する。一方の第１突起１１２は、第１現像カートリッジ１１０の第１サイドフレーム６１と向かい合う壁から第１サイドフレーム６１に向けて突出する。他方の第１突起１１２は、第１現像カートリッジ１１０の第２サイドフレーム６２と向かい合う壁から第２サイドフレーム６２に向けて突出する。第１突起１１２は、第１感光体１２０から第２方向において離れている。また、第１突起１１２は、第１感光体１２０から、第１方向および第２方向に直交する第３方向において離れている。
【００６３】
第２現像カートリッジ２１０は、２つの第２突起２１２（１つのみ図示）を有する。一方の第２突起２１２は、第２現像カートリッジ２１０の第１サイドフレーム６１と向かい合う壁から第１サイドフレーム６１に向けて突出する。他方の第２突起２１２は、第２現像カートリッジ２１０の第２サイドフレーム６２と向かい合う壁から第２サイドフレーム６２に向けて突出する。第２突起２１２は、第２方向において、第１感光体１２０の範囲内に位置する。第２突起２１２は、第３方向において、第１開口Ｈ１に対して第１感光体１２０とは反対側に位置する。
【００６４】
第３現像カートリッジ３１０は、２つの第３突起３１２（１つのみ図示）を有する。一方の第３突起３１２は、第３現像カートリッジ３１０の第１サイドフレーム６１と向かい合う壁から第１サイドフレーム６１に向けて突出する。他方の第３突起３１２は、第３現像カートリッジ３１０の第２サイドフレーム６２と向かい合う壁から第２サイドフレーム６２に向けて突出する。第３突起３１２は、第２方向において、第２感光体２２０の範囲内に位置する。第３突起３１２は、第３方向において、第２開口Ｈ２に対して第２感光体２２０とは反対側に位置する。
【００６５】
第４現像カートリッジ４１０は、２つの第４突起４１２（１つのみ図示）を有する。一方の第４突起４１２は、第４現像カートリッジ４１０の第１サイドフレーム６１と向かい合う壁から第１サイドフレーム６１に向けて突出する。他方の第４突起４１２は、第４現像カートリッジ４１０の第２サイドフレーム６２と向かい合う壁から第２サイドフレーム６２に向けて突出する。第４突起４１２は、第２方向において、第３感光体３２０の範囲内に位置する。第４突起４１２は、第３方向において、第３開口Ｈ３に対して第３感光体３２０とは反対側に位置する。
【００６６】
図４に示すように、カラープリンタ１は、接離機構ＴＳを備えている。接離機構ＴＳは、４つの現像カートリッジ１１０，２１０，３１０，４２０の状態を、第１状態であるカラーモードと、第２状態であるモノクロモードと、第３状態であるクリーニングモードとに切り替え可能となっている。カラーモードでは、４つの現像ローラ１１１，２１１，３１１，４１１が、それぞれ対応する感光体１２０，２２０，３２０，４２０に接触する。
【００６７】
図５に示すように、モノクロモードでは、第１現像ローラ１１１、第２現像ローラ２１１および第３現像ローラ３１１が、それぞれ対応する感光体１２０，２２０，３２０から離れる。また、モノクロモードでは、第４現像ローラ４１１が、第４感光体４２０に接触する。図６に示すように、クリーニングモードでは、４つの現像ローラ１１１，２１１，３１１，４１１が、それぞれ対応する感光体１２０，２２０，３２０，４２０から離れる。
【００６８】
図７（ｂ）に示すように、接離機構ＴＳは、第１押圧部材１５０と、第１離間部材１６０と、第２押圧部材２５０と、第２離間部材２６０と、第３押圧部材３５０と、第３離間部材３６０と、第４押圧部材４５０と、第４離間部材４６０と、直動カム５００とを備える。各押圧部材１５０，２５０，３５０，４５０、各離間部材１６０，２６０，３６０，４６０および直動カム５００は、ドロア６０の第１サイドフレーム６１側と第２サイドフレーム６２側にそれぞれ１つずつ配置されている。なお、以下の説明では、ドロア６０の第２サイドフレーム６２側に位置する各部材を代表して説明し、第１サイドフレーム６１側の各部材の説明は省略する。
【００６９】
第１押圧部材１５０は、第１現像カートリッジ１１０を第１感光体１２０に向けて押圧する部材である。第１押圧部材１５０は、第２サイドフレーム６２に対して回動可能となっている。第１押圧部材１５０は、図示せぬトーションバネなどの付勢部材によって、第１現像カートリッジ１１０に向けて付勢されている。第１押圧部材１５０は、第１押圧面１５１を有する。第１押圧面１５１は、第１現像カートリッジ１１０の第１突起１１２を第１感光体１２０に向けて押圧する。
【００７０】
第１離間部材１６０は、第１押圧部材１５０の押圧力に抗して第１現像カートリッジ１１０を第１感光体１２０から離れる方向に押圧する部材である。第１離間部材１６０は、第２サイドフレーム６２に対して回動可能となっている。第１離間部材１６０は、第１当接面１６１と、第１傾斜面１６２とを有する。第１当接面１６１は、第１突起１１２に接触可能な面である。第１当接面１６１は、第１突起１１２を挟んで第１押圧面１５１とは反対側に位置する。第１傾斜面１６２は、直動カム５００と接触可能な面である。第１離間部材１６０は、第１傾斜面１６２に直動カム５００が接触することで回動する。
【００７１】
第２押圧部材２５０は、第２現像カートリッジ２１０を第２感光体２２０に向けて押圧する部材である。第２押圧部材２５０は、第２サイドフレーム６２に対して回動可能となっている。第２押圧部材２５０は、図示せぬトーションバネなどの付勢部材によって、第２現像カートリッジ２１０に向けて付勢されている。第２押圧部材２５０は、第２押圧面２５１と、第１カバーＣ１とを有する。第２押圧面２５１は、第２現像カートリッジ２１０の第２突起２１２を第２感光体２２０に向けて押圧する。
【００７２】
第１カバーＣ１は、第１開口Ｈ１を開放する第１開位置と、第１開口Ｈ１を閉じる第１閉位置（図５参照）とに移動可能となっている。第１カバーＣ１は、直動カム５００の動作に従って移動可能となっている。詳しくは、第１カバーＣ１は、直動カム５００に従って第２離間部材２６０および第２押圧部材２５０が回動することで、移動する。第１カバーＣ１は、図３に示す第１壁Ｆ１２と第２サイドフレーム６２の間の隙間を通って、第１開位置または第１閉位置に移動する。
【００７３】
第２離間部材２６０は、第２押圧部材２５０の押圧力に抗して第２現像カートリッジ２１０を第２感光体２２０から離れる方向に押圧する部材である。第２離間部材２６０は、第２サイドフレーム６２に対して回動可能となっている。第２離間部材２６０は、第２当接面２６１と、第２傾斜面２６２とを有する。第２当接面２６１は、第２突起２１２に接触可能な面である。第２当接面２６１は、第２突起２１２を挟んで第２押圧面２５１とは反対側に位置する。第２傾斜面２６２は、直動カム５００と接触可能な面である。第２離間部材２６０は、第２傾斜面２６２に直動カム５００が接触することで回動する。
【００７４】
第３押圧部材３５０は、第３現像カートリッジ３１０を第３感光体３２０に向けて押圧する部材である。第３押圧部材３５０は、第２サイドフレーム６２に対して回動可能となっている。第３押圧部材３５０は、図示せぬトーションバネなどの付勢部材によって、第３現像カートリッジ３１０に向けて付勢されている。第３押圧部材３５０は、第３押圧面３５１と、第２カバーＣ２とを有する。第３押圧面３５１は、第３現像カートリッジ３１０の第３突起３１２を第３感光体３２０に向けて押圧する。
【００７５】
第２カバーＣ２は、第２開口Ｈ２を開放する第２開位置と、第２開口Ｈ２を閉じる第２閉位置（図５参照）とに移動可能となっている。第２カバーＣ２は、直動カム５００の動作に従って移動可能となっている。詳しくは、第２カバーＣ２は、直動カム５００に従って第３離間部材３６０および第３押圧部材３５０が回動することで、移動する。第２カバーＣ２は、図３に示す第２壁Ｆ２２と第２サイドフレーム６２の間の隙間を通って、第２開位置または第２閉位置に移動する。
【００７６】
第３離間部材３６０は、第３押圧部材３５０の押圧力に抗して第３現像カートリッジ３１０を第３感光体３２０から離れる方向に押圧する部材である。第３離間部材３６０は、第２サイドフレーム６２に対して回動可能となっている。第３離間部材３６０は、第３当接面３６１と、第３傾斜面３６２とを有する。第３当接面３６１は、第３突起３１２に接触可能な面である。第３当接面３６１は、第３突起３１２を挟んで第３押圧面３５１とは反対側に位置する。第３傾斜面３６２は、直動カム５００と接触可能な面である。第３離間部材３６０は、第３傾斜面３６２に直動カム５００が接触することで回動する。
【００７７】
第４押圧部材４５０は、第４現像カートリッジ４１０を第４感光体４２０に向けて押圧する部材である。第４押圧部材４５０は、第２サイドフレーム６２に対して回動可能となっている。第４押圧部材４５０は、図示せぬトーションバネなどの付勢部材によって、第４現像カートリッジ４１０に向けて付勢されている。第４押圧部材４５０は、第４押圧面４５１と、第３カバーＣ３とを有する。第４押圧面４５１は、第４現像カートリッジ４１０の第４突起４１２を第４感光体４２０に向けて押圧する。
【００７８】
第３カバーＣ３は、第３開口Ｈ３を開放する第３開位置と、第３開口Ｈ３を閉じる第３閉位置（図６参照）とに移動可能となっている。第３カバーＣ３は、直動カム５００の動作に従って移動可能となっている。詳しくは、第３カバーＣ３は、直動カム５００に従って第４離間部材４６０および第４押圧部材４５０が回動することで、移動する。第３カバーＣ３は、図３に示す第３壁Ｆ３２と第２サイドフレーム６２の間の隙間を通って、第３開位置または第３閉位置に移動する。
【００７９】
第４離間部材４６０は、第４押圧部材４５０の押圧力に抗して第４現像カートリッジ４１０を第４感光体４２０から離れる方向に押圧する部材である。第４離間部材４６０は、第２サイドフレーム６２に対して回動可能となっている。第４離間部材４６０は、第４当接面４６１と、第４傾斜面４６２とを有する。第４当接面４６１は、第４突起４１２に接触可能な面である。第４当接面４６１は、第４突起４１２を挟んで第４押圧面４５１とは反対側に位置する。第４傾斜面４６２は、直動カム５００と接触可能な面である。第４離間部材４６０は、第４傾斜面４６２に直動カム５００が接触することで回動する。各傾斜面１６２，２６２，３６２，４６２は、第２方向において、等間隔で配置されている。
【００８０】
図７（ａ）に示すように、直動カム５００は、第２方向に長い長尺状の部材である。直動カム５００は、第１カム面５１１と、第１保持面５１２と、第２カム面５２１と、第２保持面５２２と、第３カム面５３１と、第３保持面５３２と、第４カム面５４１と、第４保持面５４２とを有する。
【００８１】
各カム面５１１，５２１，５３１，５４１は、対応する離間部材１６０，２６０，３６０，４６０の傾斜面１６２，２６２，３６２，４６２に接触可能な面である。各カム面５１１，５２１，５３１，５４１は、第２方向に対して傾斜している。第１カム面５１１、第２カム面５２１および第３カム面５３１は、第２方向において、等間隔で配置されている。詳しくは、第１カム面５１１と第２カム面５２１との間隔は、第１間隔Ｌ１となっている。また、第２カム面５２１と第３カム面５３１との間隔も、第１間隔Ｌ１となっている。第４カム面５４１と第３カム面５３１との間隔は、第１間隔Ｌ１よりも短い第２間隔Ｌ２となっている。
【００８２】
各保持面５１２，５２２，５３２，５４２は、対応する離間部材１６０，２６０，３６０，４６０の姿勢を保持することで、対応する現像カートリッジ１１０，２１０，３１０，４１０を感光体１２０，２２０，３２０，４２０から離した状態に保持する面である。各保持面５１２，５２２，５３２，５４２は、第２方向に沿っている。
【００８３】
また、直動カム５００は、ラックギヤ５５０を有している。ラックギヤ５５０は、伝達ギヤＧと噛み合っている。カラープリンタ１は、伝達ギヤＧに駆動力を供給する駆動源を備えている。駆動源は、例えばモータなどを利用することができる。駆動源は、図示せぬ制御装置で制御される。
【００８４】
直動カム５００は、前述したようにドロア６０の第１サイドフレーム６１側と第２サイドフレーム６２側に１つずつ配置されている。また、伝達ギヤＧも、ドロア６０の第１サイドフレーム６１側と第２サイドフレーム６２側に１つずつ配置されている。これらの伝達ギヤＧは、シャフトＳＦによって連結されている。
【００８５】
直動カム５００は、ドロア６０に対して、図４に示す第１位置と、図５に示す第２位置と、図６に示す第３位置との間で移動可能となっている。図４に示すように、直動カム５００が第１位置に位置する場合には、各カム面５１１，５２１，５３１，５４１は、対応する傾斜面１６２，２６２，３６２，４６２から離れている。これにより、直動カム５００が第１位置に位置する場合には、４つの現像カートリッジ１１０，２１０，３１０，４１０の状態が、４つの現像ローラ１１１，２１１，３１１，４１１がそれぞれ対応する感光体１２０，２２０，３２０，４２０に接触するカラーモードとなっている。
【００８６】
図５に示すように、直動カム５００が第１位置から第２位置に移動すると、３つのカム面５１１，５２１，５３１が、対応する傾斜面１６２，２６２，３６２を押圧する。これにより、第１離間部材１６０、第２離間部材２６０および第３離間部材３６０が、図４に示す第１姿勢から図５に示す第２姿勢に回動する。この際、第４カム面５４１は、第４傾斜面４６２を押さないので、第４離間部材４６０は、第１姿勢のままとなる。
【００８７】
また、このように第１離間部材１６０、第２離間部材２６０および第３離間部材３６０が第１姿勢から第２姿勢に回動すると、各離間部材１６０，２６０，３６０が、対応する突起１１２，２１２，３１２を介して各押圧部材１５０，２５０，３５０を押圧する。これにより、第１押圧部材１５０、第２押圧部材２５０および第３押圧部材３５０が、図４に示す第３姿勢から図５に示す第４姿勢に回動する。そして、第２押圧部材２５０が第３姿勢から第４姿勢に回動することで、第２押圧部材２５０の第１カバーＣ１が第１開位置から第１閉位置に移動する。また、第３押圧部材３５０が第３姿勢から第４姿勢に回動することで、第３押圧部材３５０の第２カバーＣ２が第２開位置から第２閉位置に移動する。
【００８８】
そして、直動カム５００が第２位置に位置する状態においては、３つの保持面５１２，５２２，５３２によって、第１離間部材１６０、第２離間部材２６０および第３離間部材３６０が第２姿勢に保持される。同様に、第１押圧部材１５０、第２押圧部材２５０および第３押圧部材３５０も、３つの保持面５１２，５２２，５３２によって第４姿勢に保持される。これにより、２つのカバーＣ１，Ｃ２が、それぞれ閉位置に保持される。
【００８９】
以上により、直動カム５００が第２位置に位置する場合には、４つの現像カートリッジ１１０，２１０，３１０，４１０の状態が、第１現像ローラ１１１、第２現像ローラ２１１および第３現像ローラ３１１がそれぞれ対応する感光体１２０，２２０，３２０から離れ、第４現像ローラ４１１が第４感光体４２０に接触するモノクロモードとなっている。また、直動カム５００が第２位置に位置するときには、第１開口Ｈ１および第２開口Ｈ２が第１カバーＣ１および第２カバーＣ２で閉じられ、第３開口Ｈ３および第４開口Ｈ４が開放している。
【００９０】
図６に示すように、直動カム５００が第２位置から第３位置に移動すると、第４カム面５４１が、第４傾斜面４６２を押圧する。これにより、第４離間部材４６０が、図５に示す第１姿勢から図６に示す第２姿勢に回動する。この際、その他の３つの離間部材１６０，２６０，３６０は、対応する保持面５１２，５２２，５３２で保持されたままとなるので、第２姿勢となっている。
【００９１】
また、このように第４離間部材４６０が第１姿勢から第２姿勢に回動すると、第４離間部材４６０が、第４突起４１２を介して第４押圧部材４５０を押圧する。これにより、第４押圧部材４５０が、図５に示す第３姿勢から図６に示す第４姿勢に回動する。そして、第４押圧部材４５０が第３姿勢から第４姿勢に回動することで、第４押圧部材４５０の第３カバーＣ３が第３開位置から第３閉位置に移動する。
【００９２】
そして、直動カム５００が第３位置に位置する状態においては、４つの保持面５１２，５２２，５３２，５４２によって、４つの離間部材１６０，２６０，３６０，４６０が第２姿勢に保持される。同様に、４つの押圧部材１５０，２５０，３５０，４５０も、４つの保持面５１２，５２２，５３２，５４２によって第４姿勢に保持される。これにより、３つのカバーＣ１〜Ｃ３が、それぞれ閉位置に保持される。
【００９３】
以上により、直動カム５００が第３位置に位置する場合には、４つの現像カートリッジ１１０，２１０，３１０，４１０の状態が、４つの現像ローラ１１１，２１１，３１１，４１１がそれぞれ対応する感光体１２０，２２０，３２０，４２０から離れたクリーニングモードとなっている。また、直動カム５００が第３位置に位置するときには、第１開口Ｈ１、第２開口Ｈ２および第３開口Ｈ３が第１カバーＣ１、第２カバーＣ２および第３カバーＣ３で閉じられ、第４開口Ｈ４が開放している。
【００９４】
次に、本実施形態における各部材の作用効果について説明する。
図４に示すように、カラーモードにおいては、すべての開口Ｈ１〜Ｈ４が開放された状態となっている。これにより、カラーモードにおいては、ファンＦから送られてくる空気が、すべての帯電器１３０，２３０，３３０，４３０に供給される。
【００９５】
図４から図５に示すように、直動カム５００を第１位置から第２位置に移動させると、ブラック以外の３つの離間部材１６０，２６０，３６０が第１姿勢から第２姿勢に回動して、ブラック以外の３つの現像カートリッジ１１０，２１０，３１０が対応する感光体１２０，２２０，３２０から離れる方向に押圧される。これにより、ブラック以外の３つの現像ローラ１１１，２１１，３１１が対応する感光体１２０，２２０，３２０から離れて、カラーモードからモノクロモードに切り替わる。
【００９６】
また、この際、ブラック以外の３つの離間部材１６０，２６０，３６０の回動によって、ブラック以外の３つの押圧部材１５０，２５０，３５０が第３姿勢から第４姿勢に回動して、第１カバーＣ１および第２カバーＣ２が閉位置に移動する。そのため、モノクロモードにおいては、第１開口Ｈ１および第２開口Ｈ２が第１カバーＣ１および第２カバーＣ２で閉じられるため、ファンＦから送られてくる空気は、第３開口Ｈ３および第４開口Ｈ４に集中して流れる。これにより、第３開口Ｈ３と第４開口Ｈ４の間に位置する第４現像カートリッジ４１０を効率よく冷却することができる。
【００９７】
図５から図６に示すように、直動カム５００を第２位置から第３位置に移動させると、ブラックの第４離間部材４６０が第１姿勢から第２姿勢に回動して、ブラックの第４現像カートリッジ４１０が第４感光体４２０から離れる方向に押圧される。なお、この際、ブラック以外の３つの離間部材１６０，２６０，３６０は、第２姿勢に維持されている。これにより、すべての現像ローラ１１１，２１１，３１１，４１１が、対応する感光体１２０，２２０，３２０，４２０から離れた状態となり、モノクロモードからクリーニングモードに切り替わる。
【００９８】
また、この際、ブラックの第４離間部材４６０の回動によって、ブラックの第４押圧部材４５０が第３姿勢から第４姿勢に回動して、第３カバーＣ３が閉位置に移動する。なお、この際、ブラック以外の３つの押圧部材１５０，２５０，３５０が第４姿勢に維持されることから、第１カバーＣ１および第２カバーＣ２が閉位置に維持されている。そのため、クリーニングモードにおいては、第１開口Ｈ１、第２開口Ｈ２および第３開口Ｈ３が、対応するカバーＣ１〜Ｃ３で閉じられるため、ファンＦから送られてくる空気は、第４開口Ｈ４に集中して流れる。これにより、クリーニングモードにおいては、第４現像カートリッジ４１０のうち定着器８０側の部分を効率よく冷却することができる。
【００９９】
以上、本実施形態によれば、前述した効果に加え、以下のような効果を得ることができる。
４つの現像カートリッジ１１０，２１０，３１０，４１０を選択的に動かす１つの直動カム５００にカバーＣ１〜Ｃ３を連動させるので、簡易な構造で、エアフローの調整を行うことができる。
【０１００】
なお、本発明は前記実施形態に限定されることなく、以下に例示するように様々な形態で利用できる。以下の説明においては、前記実施形態と略同様の構造となる部材には同一の符号を付し、その説明は省略する。
【０１０１】
前記実施形態では、カバーＣ１〜Ｃ３を押圧部材２５０，３５０，４５０に設けたが、本発明はこれに限定されるものではない。例えば、図８に示すように、離間部材がカバーを有していてもよい。詳しくは、この形態では、第２離間部材２６０は、第１カバーＣ１を有している。第３離間部材３６０は、第２カバーＣ２を有している。第４離間部材４６０は、第３カバーＣ３を有している。この形態では、図８（ａ）に示すカラーモードにおいて、各カバーＣ１〜Ｃ３は、開位置に位置する。これにより、カラーモードにおいて、すべての開口Ｈ１〜Ｈ４が開放される。
【０１０２】
また、図８（ｂ）に示すモノクロモードにおいて、第１カバーＣ１および第２カバーＣ２が閉位置に位置する。これにより、モノクロモードにおいて、第３開口Ｈ３および第４開口Ｈ４のみが開放される。
【０１０３】
また、図８（ｃ）に示すクリーニングモードにおいて、各カバーＣ１〜Ｃ３が閉位置に位置する。これにより、クリーニングモードにおいて、第４開口Ｈ４のみが開放される。
【０１０４】
また、図９または図１０に示すように、直動カムがカバーを有していてもよい。ここで、図９および図１０は、第２サイドフレーム６２を感光体１２０とは反対側から見た図である。
【０１０５】
図９に示す形態では、直動カム５００は、第１カバーＣ１および第２カバーＣ２を有している。図９（ａ）に示すカラーモードにおいて、各カバーＣ１，Ｃ２は、開位置に位置する。これにより、カラーモードにおいて、すべての開口Ｈ１〜Ｈ４が開放される。
【０１０６】
また、図９（ｂ）に示すモノクロモードにおいて、各カバーＣ１，Ｃ２が閉位置に位置する。これにより、モノクロモードにおいて、第３開口Ｈ３および第４開口Ｈ４のみが開放される。
【０１０７】
図１０に示す形態では、直動カム５００は、第１カバーＣ１、第２カバーＣ２および第３カバーＣ３を有している。図１０（ａ）に示すカラーモードにおいて、各カバーＣ１〜Ｃ３は、開位置に位置する。これにより、カラーモードにおいて、すべての開口Ｈ１〜Ｈ４が開放される。
【０１０８】
また、図１０（ｂ）に示すモノクロモードにおいて、各カバーＣ１〜Ｃ３が閉位置に位置する。これにより、モノクロモードにおいて、第４開口Ｈ４のみが開放される。
【０１０９】
また、図１１に示すように、現像カートリッジがカバーを有していてもよい。詳しくは、この形態では、第２現像カートリッジ２１０は、第１カバーＣ１を有している。第３現像カートリッジ３１０は、第２カバーＣ２を有している。第４現像カートリッジ４１０は、第３カバーＣ３を有している。なお、図１１では、各現像カートリッジ２１０，３１０，４１０において、カバーＣ１〜Ｃ３のみを実線で示す。
【０１１０】
この形態では、図１１（ａ）に示すカラーモードにおいて、各カバーＣ１〜Ｃ３は、開位置に位置する。これにより、カラーモードにおいて、すべての開口Ｈ１〜Ｈ４が開放される。
【０１１１】
なお、この形態では、各カバーＣ１〜Ｃ３は、開位置において、対応する開口Ｈ１〜Ｈ３の一部を閉じ、他部を開放させている。また、各カバーＣ１〜Ｃ３は、閉位置において、対応する開口Ｈ１〜Ｈ３のすべてを閉じている。
【０１１２】
また、図１１（ｂ）に示すモノクロモードにおいて、第１カバーＣ１および第２カバーＣ２が閉位置に位置する。これにより、モノクロモードにおいて、第３開口Ｈ３および第４開口Ｈ４のみが開放される。
【０１１３】
また、図１０（ｃ）に示すクリーニングモードにおいて、各カバーＣ１〜Ｃ３が閉位置に位置する。これにより、クリーニングモードにおいて、第４開口Ｈ４のみが開放される。
【０１１４】
前記実施形態では、ファンＦから各帯電器１３０，２３０，３３０，４３０内に向けて空気を送ったが、本発明はこれに限定されない。例えば、各帯電器内の空気をファンで吸い込むように構成してもよい。
【０１１５】
前記実施形態では、感光体として感光体ドラムを例示したが、本発明はこれに限定されない。例えば、感光体は、ベルト状の感光体などであってもよい。
【０１１６】
前記実施形態では、帯電器として、帯電ワイヤとグリッド電極を備える帯電器を例示したが、本発明はこれに限定されない。例えば、帯電器は、感光体に接触する帯電ローラなどであってもよい。
【０１１７】
前記実施形態では、定着器として、加熱ローラ８１と加圧ローラ８２とを備える定着器８０を例示したが、本発明はこれに限定されない。例えば、定着器は、熱源と、ニップ板と、エンドレスベルトと、加圧ローラとを備えるものであってもよい。この構造において、熱源は、ニップ板を加熱する。ニップ板は、加圧ローラとの間でエンドレスベルトを挟む。
【０１１８】
前記実施形態では、カラープリンタ１に本発明を適用したが、本発明はこれに限定されず、その他の画像形成装置、例えば複写機や複合機などに本発明を適用してもよい。
【０１１９】
また、前記した実施形態および変形例で説明した各要素を、任意に組み合わせて実施してもよい。
【符号の説明】
【０１２０】
１      カラープリンタ
６０    ドロア
６１    第１サイドフレーム
６２    第２サイドフレーム
１１０  第１現像カートリッジ
１１１  第１現像ローラ
１２０  第１感光体
１３０  第１帯電器
２１０  第２現像カートリッジ
２１１  第２現像ローラ
２２０  第２感光体
２３０  第２帯電器
３１０  第３現像カートリッジ
３１１  第３現像ローラ
３２０  第３感光体
３３０  第３帯電器
４１０  第４現像カートリッジ
４１１  第４現像ローラ
４２０  第４感光体
４３０  第４帯電器
５００  直動カム
Ｃ１    第１カバー
Ｃ２    第２カバー
Ｆ      ファン
Ｈ１    第１開口
Ｈ２    第２開口
Ｈ３    第３開口
Ｈ４    第４開口
ＴＳ    接離機構
【図１】
2019028147.tif 000003
【図２】
2019028147.tif 000004
【図３】
2019028147.tif 000005
【図４】
2019028147.tif 000006
【図５】
2019028147.tif 000007
【図６】
2019028147.tif 000008
【図７】
2019028147.tif 000009
【図８】
2019028147.tif 000010
【図９】
2019028147.tif 000011
【図１０】
2019028147.tif 000012
【図１１】
2019028147.tif 000013